(57)【要約】【課題】  簡単な構成で、既存の装置のカメラ機能を利用して再生専用ホログラム媒体に記録されたホログラム情報を再生することを可能とする。【解決手段】  ホログラム情報読出装置１０は、筐体１０Ａの一面上に前記回折格子層からの再生光を外部に射出させるための透明の窓部１２が設けられている。また、筐体１０Ａの側面には再生専用ホログラム媒体としての積層ホログラムＲＯＭ媒体１を装填するための媒体装填口１４が設けられており、かつ筐体１０Ａ内には、媒体装填口１４に通じる媒体装填スペース１５が設けられている。さらに、筐体１０Ａ内に、積層ホログラムＲＯＭ媒体１の所望のコア層に光を入射させる光ヘッド６を有する。【選択図】    図１
2005352254.tif 000002
【特許請求の範囲】
【請求項１】
コア層とクラッド層とが交互に積層され、前記コア層とクラッド層との境界に
情報が記憶されている回折格子層が設けられてなる再生専用ホログラム媒体からホログラム情報を読み出すホログラム情報読出装置であって、
前記回折格子層からの再生光を外部に射出させるための透明の窓部と、前記再生専用ホログラム媒体を装填するための媒体装填口が筐体表面に設けられており、
かつ前記筐体内には、前記媒体装填口に通じる媒体装填スペースが設けられていると共に、
再生専用ホログラム媒体の所望のコア層に光を入射させる光ヘッドを有することを特徴とするホログラム情報読出装置。
【請求項２】
前記窓部から射出される再生光による再生像を撮像装置により撮像する際に、該撮像装置の所定の結像位置に結像させるように前記撮像装置の光学系を前記再生像に合焦させるためのガイド部材を前記窓部近傍に設けたことを特徴とする請求項１に記載のホログラム情報読出装置。
【請求項３】
コア層とクラッド層とが交互に積層され、前記コア層とクラッド層との境界に情報が記憶されている回折格子層が設けられてなる再生専用ホログラム媒体からホログラム情報を読み出し、再生するホログラム情報再生方法であって、
請求項１に記載のホログラム情報読出装置に前記再生専用ホログラム媒体を前記媒体装填口より前記媒体装填スペース内に装填し、前記窓部より射出された再生光により結像された再生像を、撮像装置により撮像することにより前記再生専用ホログラム媒体に記録されているホログラム情報を再生することを特徴とするホログラム情報再生方法。
【請求項４】
コア層とクラッド層とが交互に積層され、前記コア層とクラッド層との境界に情報が記憶されている回折格子層が設けられてなる再生専用ホログラム媒体からホログラム情報を読み出すホログラム情報読出装置であって、
前記回折格子層からの再生光を外部に射出させるための窓部を兼ねる、前記再生専用ホログラム媒体を装填するための媒体装填口が筐体表面に設けられており、
かつ前記筐体内には、前記媒体装填口に通じる媒体装填スペースが設けられていると共に、
再生専用ホログラム媒体の所望のコア層に光を入射させる光ヘッドを有することを特徴とするホログラム情報読出装置。
【請求項５】
前記媒体装填口から射出される再生光による再生像を撮像装置により撮像する際に、該撮像装置の所定の結像位置に結像させるように前記撮像装置の光学系を前記再生像に合焦させるためのガイド部材を前記媒体装填口近傍に設けたことを特徴とする請求項４に記載のホログラム情報読出装置。
【請求項６】
コア層とクラッド層とが交互に積層され、前記コア層とクラッド層との境界に情報が記憶されている回折格子層が設けられてなる再生専用ホログラム媒体からホログラム情報を読み出し、再生するホログラム情報再生方法であって、
請求項４に記載のホログラム情報読出装置に前記再生専用ホログラム媒体を前記媒体装填口より前記媒体装填スペース内に装填し、前記媒体装填口より射出された再生光により結像された再生像を、撮像装置により撮像することにより前記再生専用ホログラム媒体に記録されているホログラム情報を再生することを特徴とするホログラム情報再生方法。
【発明の詳細な説明】
【技術分野】
【０００１】
本発明は、再生専用ホログラム媒体に記録されたホログラム情報を読み出すホログラム情報読出装置、及び該ホログラム情報読出装置により読み出したホログラム情報を再生するホログラム情報再生方法に関する。
【背景技術】
【０００２】
従来の再生専用ホログラム媒体としての積層ホログラムＲＯＭ媒体について以下に説明する(例えば、特許文献１参照)。
図２は、積層ホログラムＲＯＭ媒体１０１の側面(断面)を示す図であり、コア層１０２とクラッド層１０３とが交互に積層され、コア層１０２とクラッド層１０３との境界に回折格子層１０４が設けられた構造を成している。
回折格子層１０４には情報が例えば凹凸形状によって記憶されている。
【０００３】
図３は積層ホログラムＲＯＭドライブ１０５の側面を示す図であり、積層ホログラムＲＯＭドライブ１０５は、光ヘッド１０６と、光検出器１０７とから構成されている。
光ヘッド１０６は積層ホログラムＲＯＭ媒体１０１の所望のコア層に入射光１０８を入射する機能を持つ。１１０は、積層ホログラムＲＯＭ媒体１０１を装填するための媒体装填口であり、１１１は、媒体が収容される媒体装填スペースである。
【０００４】
上記構成において、光ヘッド１０６により積層ホログラムＲＯＭ媒体１０１の所望のコア層１０２に入射光１０８を入射させると、光は回折格子層１０４に記憶されている情報に依存して回折され、再生光１０９が積層ホログラムＲＯＭ媒体１０１の上面に出射する。
【０００５】
これを光検出器１０７で検出すると、積層ホログラムＲＯＭ媒体１０１に蓄積された情報を再生することができる。積層ホログラムＲＯＭ媒体１０１は小型大容量化でき、また積層ホログラムＲＯＭドライブ１０５は構成、構造が単純なため小型化できる。積層ホログラムＲＯＭは将来の小型大容量なコンテンツ配布用メモリとして期待されている。 
【特許文献１】特開平１１−３４５４１９号公報
【発明の開示】
【発明が解決しようとする課題】
【０００６】
上記構成の積層ホログラムＲＯＭ媒体に記録されているホログラム情報を再生するには、従来では、上述したように、積層ホログラムＲＯＭ媒体ドライブを使用して行う必要が有った。
一方、最近では、カメラ機能を搭載した携帯電話機や、ディジタルカメラが普及している。したがって、ホログラムＲＯＭ媒体に記録された情報を再生するのに、これらのカメラ機能を利用できれば、利便性を高めることができる。
【０００７】
本発明は、このような事情に鑑みてなされたものであり、簡単な構成で、既存の装置のカメラ機能を利用して再生専用ホログラム媒体に記録されたホログラム情報を再生することを可能とするホログラム情報読出装置及びホログラム情報再生方法を提供することを目的とする。
【課題を解決するための手段】
【０００８】
上記目的を達成するために請求項１に記載の発明は、コア層とクラッド層とが交互に積層され、前記コア層とクラッド層との境界に情報が記憶されている回折格子層が設けられてなる再生専用ホログラム媒体からホログラム情報を読み出すホログラム情報読出装置であって、前記回折格子層からの再生光を外部に射出させるための透明の窓部と、前記再生専用ホログラム媒体を装填するための媒体装填口が筐体表面に設けられており、かつ前記筐体内には、前記媒体装填口に通じる媒体装填スペースが設けられていると共に、再生専用ホログラム媒体の所望のコア層に光を入射させる光ヘッドを有することを特徴とする。
【０００９】
また、請求項２に記載の発明は、請求項１に記載のホログラム情報読出装置において、前記窓部から射出される再生光による再生像を撮像装置により撮像する際に、該撮像装置の所定の結像位置に結像させるように前記撮像装置の光学系を前記再生像に合焦させるためのガイド部材を前記窓部近傍に設けたことを特徴とする。
【００１０】
また、請求項３に記載の発明は、コア層とクラッド層とが交互に積層され、前記コア層とクラッド層との境界に情報が記憶されている回折格子層が設けられてなる再生専用ホログラム媒体からホログラム情報を読み出し、再生するホログラム情報再生方法であって、請求項１に記載のホログラム情報読出装置に前記再生専用ホログラム媒体を前記媒体装填口より前記媒体装填スペース内に装填し、前記窓部より射出された再生光により結像された再生像を、撮像装置により撮像することにより前記再生専用ホログラム媒体に記録されているホログラム情報を再生することを特徴とする。
【００１１】
また、請求項４に記載の発明は、コア層とクラッド層とが交互に積層され、前記コア層とクラッド層との境界に情報が記憶されている回折格子層が設けられてなる再生専用ホログラム媒体からホログラム情報を読み出すホログラム情報読出装置であって、前記回折格子層からの再生光を外部に射出させるための窓部を兼ねる、前記再生専用ホログラム媒体を装填するための媒体装填口が筐体表面に設けられており、かつ前記筐体内には、前記媒体装填口に通じる媒体装填スペースが設けられていると共に、再生専用ホログラム媒体の所望のコア層に光を入射させる光ヘッドを有することを特徴とする。
【００１２】
また、請求項５に記載の発明は、請求項４に記載のホログラム情報読出装置において、前記媒体装填口から射出される再生光による再生像を撮像装置により撮像する際に、該撮像装置の所定の結像位置に結像させるように前記撮像装置の光学系を前記再生像に合焦させるためのガイド部材を前記媒体装填口近傍に設けたことを特徴とする。
【００１３】
また、請求項６に記載の発明は、コア層とクラッド層とが交互に積層され、前記コア層とクラッド層との境界に情報が記憶されている回折格子層が設けられてなる再生専用ホログラム媒体からホログラム情報を読み出し、再生するホログラム情報再生方法であって、請求項４に記載のホログラム情報読出装置に前記再生専用ホログラム媒体を前記媒体装填口より前記媒体装填スペース内に装填し、前記媒体装填口より射出された再生光により結像された再生像を、撮像装置により撮像することにより前記再生専用ホログラム媒体に記録されているホログラム情報を再生することを特徴とする。
【発明の効果】
【００１４】
以上説明したように、本発明のホログラム情報読出装置によれば、ホログラム情報の読出しに最小限必要な、光ヘッドと、再生専用ホログラム媒体の装着機構（媒体装填口、媒体装填スペース）と、再生の出射する窓部（媒体装填口で兼ねる場合を含む）とを設けるように構成したので、カメラ機能付き携帯電話機、ディジタルカメラ等の既存のカメラ機能を搭載した装置（撮像装置）により、簡便に再生専用ホログラム媒体に記録されたホログラム情報を再生することができる。
【００１５】
また、本発明のホログラム情報再生方法によれば、ホログラム情報読出装置に前記再生専用ホログラム媒体を前記媒体装填口より前記媒体装填スペース内に装填し、前記窓部または媒体装填口より射出された再生光により結像された再生像を、撮像装置により撮像することにより前記再生専用ホログラム媒体に記録されているホログラム情報を再生するようにしたので、カメラ機能付き携帯電話機、ディジタルカメラ等の既存のカメラ機能を搭載した装置（撮像装置）により、簡便に再生専用ホログラム媒体に記録されたホログラム情報を再生することができる。
【発明を実施するための最良の形態】
【００１６】
以下、本発明の実施形態を、図面を参照して詳細に説明する。本発明の第１実施形態に係るホログラム情報読出装置の構成を図１に示す。本実施形態に係るホログラム情報読出装置は、コア層とクラッド層とが交互に積層され、前記コア層とクラッド層との境界に情報が記憶されている回折格子層が設けられてなる再生専用ホログラム媒体からホログラム情報を読み出す装置である。本実施形態では、再生専用ホログラム媒体として積層ホログラムＲＯＭ媒体を例にとり、説明する。
【００１７】
同図において、１０は、ホログラム情報読出装置であり、このホログラム情報読出装置１０は、筐体１０Ａの一面上に前記回折格子層からの再生光を外部に射出させるための透明の窓部１２が設けられている。
また、筐体１０Ａの側面には再生専用ホログラム媒体としての積層ホログラムＲＯＭ媒体１を装填するための媒体装填口１４が設けられており、かつ筐体１０Ａ内には、媒体装填口１４に通じる媒体装填スペース１５が設けられている。１６は、媒体装填台である。
【００１８】
また、筐体１０Ａ内に、積層ホログラムＲＯＭ媒体１の所望のコア層に光を入射させる光ヘッド６を有する。積層ホログラムＲＯＭ媒体１の構造は、図２に示した従来の積層ホログラムＲＯＭ媒体と同様であるので、重複する説明は省略する。
光ヘッド６は積層ホログラムＲＯＭ媒体１の所望のコア層に入射光８を入射する機能を持つ。例えば入射光８の発生源であるレーザ光源、入射光８をコア層に集光させる機能をもつ集光レンズ、入射光８を所望のコア層の位置、角度で入射させる機能を持つアクチュエータなどから構成される。また、特定のコア層の位置、角度に入射光８を移動、停止させるサーボ機能を有する。
【００１９】
２０は、カメラ機能を搭載した装置（撮像装置）であり、例えば、ディジタルカメラである。この撮像装置２０は、カメラ機能、すなわち、光学像を電子的に処理して再生する機能さえあれば、何でもよく、例えば、カメラ機能付き携帯電話機であってもよい。２１は、光学系を含むカメラ部である。この撮像装置は、焦点面にＣＣＤ等の撮像素子が設けられている共に、撮像素子から得られる映像信号をＡ／Ｄ変換するＡ／Ｄ変換器、Ａ／Ｄ変換器の出力を処理する処理回路、メモリ、モニタ用液晶表示部、各部を制御する制御部等を有している。
【００２０】
また、筐体１０Ａには、窓部１２から射出される再生光による再生像を、撮像装置２０により撮像する際に、該装置２０に対する所定の結像位置に結像させるように上記再生像に合焦させるためのガイド部材１３が窓部１２の近傍に設けられている。このガイド部材１３は、窓部１２を囲むように形成してもよいし、窓部１２を挟むように直線状に立設した一対もしくは複数対のガイド部材としてもよいし、また一対もしくは複数対の突起状のガイド部材としてもよい。このガイド部材１３の高さ方向のサイズは、撮像装置２０のカメラ部２１を前記窓部１２に近接させて撮像装置２０の筐体の前面をガイド部材に当接させた際に上記再生像に撮像装置２０の光学系を合焦させることができる距離に選択される。
【００２１】
次に、積層ホログラムＲＯＭ媒体１からホログラム情報を再生する際のホログラム情報読出装置及び撮像装置２０の動作について説明する。
上記構成において、光ヘッド６により積層ホログラムＲＯＭ媒体１の所望のコア層に入射光８を入射させると、再生光９が例えば媒体１の上面に出射する。
ここで、撮像装置２０の筐体の前面（カメラ部２１側）をガイド部材１３に当接させ、ホログラム情報読出装置１０の窓部１２に近接させると、上記再生光９による再生像が撮像装置の焦点面に設けられた撮像素子上に結像され、撮像素子の出力信号が内蔵する各種機能部により所定の処理が行われることにより、積層ホログラムＲＯＭ媒体１に記録されているホログラム情報が再生される。
【００２２】
次に、本発明の第２実施形態に係るホログラム情報読出装置の構成を図４に示す。本実施形態に係るホログラム情報読出装置が、図１に示した第１実施形態に係るホログラム情報読出装置と構成上、異なるのは、筐体１０Ａの上部に、積層ホログラムＲＯＭ媒体１の回折格子層からの再生光を外部に射出させるための窓部を兼ねる、筐体１０Ａ内に積層ホログラムＲＯＭ媒体１を装填するための媒体装填口３０を設け、積層ホログラムＲＯＭ媒体１を媒体装填口３０より筐体１０Ａ内に嵌め込むように構成した点であり、他の構成は同様であるので、同一の構成要素には同一の符号を付し、重複する説明は省略する。
【００２３】
なお、上述した実施形態では、ホログラム情報読出装置１０にガイド部材１３を設けているが、ガイド部材１３を設けずに、ホログラム情報読出装置１０の窓部１２から射出される再生光の結像位置に撮像装置２０側の光学系で合焦させるようにしてもよい。
また、回折格子層に情報が記録される積層ホログラムＲＯＭ媒体１から射出される再生光が無限焦点光となるように積層ホログラムＲＯＭ媒体１を設計することにより、ホログラム情報読出装置２０側にガイド部材１３を設けることなく、撮像装置２０側での光学系で容易に再生像に合焦させることができる。
【００２４】
また、積層ホログラムＲＯＭ媒体１から再生光が立体に出るようにし、どの高さでも空間上で結像するように積層ホログラムＲＯＭ媒体１を設計することにより、光学系の合焦操作が不要となり、撮像装置２０で容易にホログラム情報を再生することができる。
【００２５】
また、ホログラム情報読出装置１０側にスクリーンを設置し、ここでの像に撮像装置２０の光学系で合焦させるようにしてもよい。具体的には、窓部１２をスリガラス等でスクリーンとして形成することができる。
さらに、上述した本発明の実施形態では、ホログラム情報読出装置１０の構成要素として光ヘッド６を設けるようにしたが、光ヘッド６の代わりに、プレゼンテーション等で使用するレーザポインタを使用し、積層ホログラムＲＯＭ媒体１の端面に入射させるようにし、光ヘッドを省略するように構成してもよい。
これにより、ホログラム情報読出装置の構成はさらに、簡略化することができる。
また、光ヘッド６は、筐体１０Ａ内に設ける場合に限らず、筐体１０Ａ外にもうけてもよい。
【００２６】
上述したように、ホログラム情報を読み出すホログラム情報読出装置１０（媒体側）と、撮像装置２０（再生部側）とを独立に構成することにより、撮像装置２０側で、種々の情報を入手することができるとともに、積層ホログラムＲＯＭ媒体１をタグとして利用することも可能である。
【図面の簡単な説明】
【００２７】
【図１】本発明の第１実施形態に係るホログラム情報読出装置の構成の一例を示す図。
【図２】従来の再生専用ホログラム媒体の構成の一例を示す図。
【図３】従来の再生専用ホログラム媒体用ドライブの構成を示す図。
【図４】本発明の第２実施形態に係るホログラム情報読出装置の構成の一例を示す図。
【符号の説明】
【００２８】
１…積層ホログラムＲＯＭ媒体
６…光ヘッド
９…再生光
１０…ホログラム情報読出装置
１０Ａ…筐体
１３…ガイド部材
１４、３０…媒体装填口
１５…媒体装填スペース
２０…撮像装置
２１…カメラ部
【図１】
2005352254.tif 000003
【図２】
2005352254.tif 000004
【図３】
2005352254.tif 000005
【図４】
2005352254.tif 000006